(57)【特許請求の範囲】
【請求項１】
自動車のフェンダ（４）の窪み（５）の領域にヘッドライトを取り付けるための構造グループ（１）であって、この構造グループ（１）が、変形構造体を有する構造グループにおいて、
フェンダ（４）が、自動車のボンネットとの継目の領域で、シーリングチャネル部材（６）と接続されており、ヘッドライトを取り付けるためのヘッドライト収容部（３）が、その一方の側面をシーリングチャネル部材（６）と接続され、それと逆の側面をフェンダ（４）と接続されており、ヘッドライト収容部（３）の下側が、自動車の支持構造（８）と連結されたコンソール部材（７）と接続されており、そのようにして、シーリングチャネル部材（６）、ヘッドライト収容部（３）及びコンソール部材（７）から成る構造ユニット（３，６，７）が、変形構造体を構成することを特徴とする構造グループ。
【請求項２】
シーリングチャネル部材（６）が、変形構造体の変形領域を形成し、シーリングチャネル部材（６）が、折れ曲がるスレート又はほぼ直角に折れ曲がるスレートとして構成され、その辺部（１１，１３）が、フェンダ（４）及びヘッドライト収容部（３）と接続され、これらの辺部（１１，１３）の間に、変形する湾曲部（１５）が形成されていることを特徴とする請求項１に記載の構造グループ。
【請求項３】
辺部（１１，１３）が、リベット接合によりフェンダ（４）及びヘッドライト収容部（３）と接続されていることを特徴とする請求項２に記載の構造グループ。
【請求項４】
フェンダ（４）と接続された、シーリングチャネル部材（６）の辺部（１１）が、辺部（１１）とフェンダ（４）の接続領域において、辺部（１１）の自由端（８）の方に開いた切欠き部（１９）を有することを特徴とする請求項２又は３に記載の構造グループ。
【請求項５】
ヘッドライト収容部（３）が、ヘッドライトの取付板（９）と、取付板（９）及びシーリングチャネル部材（６）と接続された補強部品（１０）とを備えており、取付板（９）が、フェンダ（４）と接続され、補強部品（１０）が、変形構造体の更に別の変形領域を形成していることを特徴とする請求項１から４までのいずれか一つに記載の構造グループ。
【請求項６】
補強部品（１０）が、フレーム部材として構成されていることを特徴とする請求項５に記載の構造グループ。
【請求項７】
補強部品（１０）が、リベット接合によりシーリングチャネル部材（６）と接続された辺部（１４）を有することを特徴とする請求項５又は６に記載の構造グループ。
【請求項８】
コンソール部材（７）が、互いに角度を付けて配置された、或いは互いに直角に配置された二つのコンソール部分（２０，２１）を有し、二つのコンソール部分（２０，２１）の接続領域におけるコンソール部材（７）の弱体部によって、変形構造体の更に別の変形領域が形成されていることを特徴とする請求項１から７までのいずれか一つに記載の構造グループ。
【請求項９】
コンソール部分（２０，２１）が、リベット接合により接続された別個の部品であることを特徴とする請求項８に記載の構造グループ。
【請求項１０】
フェンダ（４）、シーリングチャネル部材（６）、ヘッドライト収容部（３）及びコンソール部材（７）の中の一つ以上が、金属板又はアルミニウム板から構成されていることを特徴とする請求項１から９までのいずれか一つに記載の構造グループ。
【発明の詳細な説明】
【技術分野】
【０００１】
本発明は、自動車のフェンダの窪みの領域にヘッドライトを取り付けるための構造グループであって、この構造グループが、変形構造体を備えている構造グループに関する。
【背景技術】
【０００２】
そのようなヘッドライトを取り付けるための構造グループは、特許文献１により周知である。その構造グループは、ヘッドライト用筐体と、そのための支持部材と、支持部材と固定的に接続された変形構造体とを備えている。支持部材は、固定器具を用いて、車両のフレームに取り付けられている。変形構造体は、ヘッドライトの照射方向に向かってヘッドライト用筐体を越えて張り出すとともに、ヘッドライト用筐体に対して側方にずらして配置されている。ヘッドライト用構造グループへの衝突、特に、歩行者との衝突は、効果的かつ優しく吸収されている。
【０００３】
そのような周知の構造グループでは、変形が専ら別個の変形構造体の領域に起こることが欠点である。構造グループのそれ以外の部分は、構造グループへの衝突、特に、歩行者との衝突を吸収することには余り寄与していない。
【先行技術文献】
【特許文献】
【０００４】
【特許文献１】欧州特許公開第１５７７６１０号明細書
【発明の概要】
【発明が解決しようとする課題】
【０００５】
本発明の課題は、車両のフェンダとヘッドライトの領域における歩行者との衝突時に、その領域での十分な変形が保証されて、それにより歩行者を負傷させる虞が軽減される、ヘッドライトを取り付けるための構造グループを実現することである。
【課題を解決するための手段】
【０００６】
この課題は、冒頭に挙げた形式の構造グループにおいて、フェンダが、自動車のボンネットとの継目の領域でシーリングチャネル部材（Dichtkanalkoerper ）と接続され、ヘッドライトを取り付けるためのヘッドライト収容部が、その一方の側面をシーリングチャネル部材と接続され、その側面と逆の側面をフェンダと接続されており、ヘッドライト収容部の下側が、自動車の支持構造と連結されたコンソール部材と接続され、そのようにして、シーリングチャネル部材、ヘッドライト収容部及びコンソール部材から成る構造ユニットが変形構造体を構成していることによって解決される。
【０００７】
従って、本発明では、ヘッドライト収容部の取付部分を同じく変形に対して適した形で構成するとともに、有利には、衝突時にヘッドライト収容部が変形することができるように、ヘッドライト収容部を構成するものと規定する。
【０００８】
本発明の有利な改善構成では、シーリングチャネル部材は、変形構造体の変形領域を構成し、シーリングチャネル部材は、折れ曲がるスレート、特に、ほぼ直角に折れ曲がるスレートとして構成されており、その辺部は、フェンダ及びヘッドライト収容部と接続されて、辺部の間には、変形可能な湾曲部が形成されている。シーリングチャネル部材の変形作用は、主に、衝突、特に、歩行者との衝突により、上方からの力の成分を主とする力が加わった場合に、シーリングチャネル部材の二つの辺部の間の湾曲部が変形することが可能であることによって得られる。そのようなフェンダに加わる力の作用により、フェンダからシーリングチャネル部材に力が伝わるために、シーリングチャネル部材の湾曲部の領域において、シーリングチャネル部材が変形することとなる。フェンダに加わる力の作用により、折れ曲がることができる辺部の領域でも、一定の変形可能な形態が得られる。フェンダと接続されたシーリングチャネル部材の辺部が、辺部とフェンダの接続領域の間に、辺部の自由端の方に開いた切欠き部を備えるのが特に有利であると考える。そのような開いた切欠き部によって、フェンダに衝突力が加わった場合に、シーリングチャネル部材の辺部が折り曲がることが可能となっている。そのため、シーリングチャネル部材は、そのような領域において、特に効果的に変形することができる。
【０００９】
リベット接合によって、シーリングチャネル部材の辺部をフェンダ及びヘッドライトと接続するのが有利である。そのような接続手法は、多くの利点を有する。即ち、リベット接合点の間隔を調整することによって、より良好な変形によるエネルギー吸収を保証することができる。有利には、リベット接合点の配置箇所の間に、シーリングチャネル部材の当該の開いた切欠き部を配置し、そのような切欠き部によるシーリングチャネル部材の局所的な弱体化によって、歩行者との衝突時、特に、歩行者の頭との衝突時に、より大きな変形行程が得られる。要するに、本発明にもとづくシーリングチャネル部材とフェンダ及び／又はヘッドライトとの接続によって、組立時に、フェンダに対するヘッドライト収容部の正確な位置付けが可能となり、その結果最小限の時間で、ヘッドライトを収容するためのフェンダ内の窪みに関するヘッドライト収容部内に取り付けられたヘッドライトの正確な位置決めが可能となる。そのようにして、ヘッドライト収容部に取り付けられたヘッドライトは、目視可能な外側に向かって平坦な面でフェンダと繋がるように、正確に位置決めすることができる。
【００１０】
更に、変形構造体の構成に関して、ヘッドライト収容部が、ヘッドライトの取付板と、その取付板及びシーリングチャネル部材と接続された補強部品とを備え、その取付板が、フェンダと接続されており、その補強部品が、変形構造体の変形領域を形成するのが有利であると考える。その場合、そのような補強部品によって、シーリングチャネル部材によって形成される前述した変形領域とは別に、変形構造体の更に別の変形領域が形成されることとなる。特に、補強部品は、フレーム部材として構成される。このような取付板と補強部品とにもとづき、ヘッドライト収容部を二つの部材により構成することによって、取付板の比較的堅固な構成と、それによるヘッドライトの正確な取付とによって、補強部品の領域での歩行者との衝突時におけるヘッドライト収容部の変形を実現することができる。補強部品は、ほぼフレームで確定された面内で変形する。
【００１１】
補強部品は、有利には、リベット接合によりシーリングチャネル部材と接続された辺部を備えている。そのような辺部が補強部品の更に別の領域に移行する部分においても、変形力が加わった場合に、補強部品の変形を思い通りに実現することができる。シーリングチャネル部材にヘッドライト収容部の方を向いた辺部を配備するとともに、ヘッドライト収容部の補強部品に、シーリングチャネル部材の前記の辺部上に載せられる辺部を配備することによって、そのような二つの辺部でシーリングチャネル部材とヘッドライト収容部との接続部を画定することができる。そのような接続部をリベット接合によって実現するのが特に有利であると考える。そのような領域においても、リベット接合点の間隔を調整して、変形によるエネルギーの最適な吸収を保証すべきである。
【００１２】
変形構造体の更に別の変形領域は、有利には、自動車の支持構造とヘッドライト収容部、特に、ヘッドライト収容部の取付板との間に配置されたコンソール部材において形成される。即ち、コンソール部材は、互いに角度を付けて配置された、特に、互いに直角に配置された二つのコンソール部分を備えており、変形構造体の変形領域が、二つのコンソール部分の接続領域におけるコンソール部材の弱体部によって形成されるものと規定する。そのような弱体部は、例えば、二つのコンソール部分の接続領域におけるコンソール部材の括れた部分として構成される。これらのコンソール部分は、特に、リベット接合により接続された別個の部品とする。そうすることによって、コンソール部分を所定通り配置することによって、コンソール部分とヘッドライト収容部、そのためヘッドライトを互いに正確に位置決めするとともに、その位置において、コンソール部分をリベット接合することが可能となる。
【００１３】
フェンダと、シーリングチャネル部材と、ヘッドライト収容部と、コンソール部材との中の一つ以上は、有利には、金属板、特に、アルミニウム板から構成される。アルミニウム板は、金属板部分、特に、変形する金属板部分を互いにリベット接合するのに非常に適している。
【００１４】
図面にもとづき、本発明の有利な実施例を詳しく説明する。
【図面の簡単な説明】
【００１５】
【図１】破線で示したヘッドライトガラスの輪郭と、ヘッドライトガラスとボンネット開口部の間でフェンダに当たった、歩行者の頭を象徴するテストピースとを図解した、ヘッドライトを取り付けるための構造グループの立体図
【図２】別の視点から見た図１の構造グループの立体図
【図３】ヘッドライト収容部の支持構造の領域における図１と２に図解した構造グループの垂直断面図
【図４】フェンダとシーリングチャネル部材の接続領域の断面図
【図５】シーリングチャネル部材の変化形態の図
【図６】シーリングチャネル部材の更に別の変化形態の図
【発明を実施するための形態】
【００１６】
図１〜３による立体図は、ヘッドライトガラス２に関して、その外側の輪郭だけを破線で図示したヘッドライトを取り付けるための構造グループ１を図示している。構造グループ１は、ヘッドライトをヘッドライト収容部３に取り付けるためのヘッドライト収容部３と、ヘッドライトガラス２の横断面の形状と適合した窪み５を有するフェンダ４と、フェンダ４と接続されたシーリングチャネル部材６と、ヘッドライト収容部３の下側の領域と接続されたコンソール部材７とを備えている。コンソール部材７は、自動車、例えば、乗用車の支持構造８と接続されている。そのような支持構造８とは、車両の縦方向構材である。コンソール部材７は、特に、支持構造と捻子で固定されている。
【００１７】
ヘッドライト収容部３、フェンダ４、シーリングチャネル部材６及びコンソール部材７は、アルミニウム板から構成されている。そうすることによって、これらの構成要素は、リベット接合により互いに接続するのに非常に適したものとなっている。
【００１８】
ヘッドライト収容部３は、二つの部材から成り、ヘッドライトを配置してヘッドライトを固定するための取付板９と、フレーム部材１０として形成された補強部品とから構成されている。この構造グループを組み立てた状態では、取付板９は、ほぼ水平に置かれ、フレーム部材１０は、ほぼ垂直に置かれる。取付板９とフレーム部材１０は、リベット接合により互いに接続されている。フレーム部材１０は、その取付板９と逆側をフェンダ４と接続されるとともに、車両のホイールハウスと隣接している。
【００１９】
フレーム部材１０は、その上方端部の領域をフェンダ４と直に接続されるのではなく、シーリングチャネル部材６と接続されており、そのシーリングチャネル部材自体は、フェンダ４と接続されている。図４の図面から分かる通り、シーリングチャネル部材６は、直角に折り曲げられたスレートとして構成されている。シーリングチャネル部材６の一方の辺部１１は、下方に折り曲げられたフェンダ４の辺部１２と重ね合わせた状態でリベット接合されている。その辺部１２は、フェンダ４と車両の図示されていないボンネットとの間の継目を画定している。シーリングチャネル部材６の他方の辺部１３は、フレーム部材１０の一方の辺部１４と重ね合わせた状態でリベット接合されている。辺部１２は、ほぼ垂直に置かれ、辺部１４は、ほぼ水平に置かれている。シーリングチャネル部材６をフェンダ４及びヘッドライト収容部３のフレーム部材１０とリベット接合することによって、ヘッドライト収容部３をフェンダに関して正確な高さと側方の位置に調整して、そのように調整した位置でリベット接合することが可能となっている。
【００２０】
シーリングチャネル部材６の辺部１１と１３の間には、フェンダ４とヘッドライト（ヘッドライトガラス２）の領域における歩行者との衝突時に、その領域の変形を保証する湾曲部１５が形成されている。図１には、衝突した歩行者の頭を象徴する、その領域でフェンダ４に当たった球形のテストピース１６が図解されている。そこには、フェンダ４の金属板が、テストピース１６の作用によりシーリングチャネル部材６と隣接する領域内に膨らんでいることが図解されている。
【００２１】
変形によるエネルギー吸収の調整は、シーリングチャネル部材６の辺部１１とフェンダ４の辺部１２との接続領域において、図５と６に図解されている通り、リベット接合点１７の間隔を調整することによって実現することができる。更に、これら二つの図面は、辺部１１の自由端１８の方に開いた一つ以上の切欠き部１９によるシーリングチャネル部材６の辺部１１の領域における局所的な弱体部によって、歩行者のための変形行程が一層大きく得られることを図解している。図５による実施構成では、切欠き部１９は弓状に形成され、図６の実施構成では、切欠き部１９は長方形に形成されている。
【００２２】
フレーム部材１０を用いて、ヘッドライト収容部３を二つの部材から構成することによって、衝突時に、フレーム部材１０が、折れ曲がるか、或いは割れる形で変形することができるので、更に別の変形領域が得られている。
【００２３】
コンソール部材７は、互いに直角に配置された二つのコンソール部分２０と２１を有し、これらの部分は、リベット接合により接続されており、その結果コンソール部分２０と２１を正確に位置決めした後、それらを接続する、特に、リベットで接合することによって、水平に置かれたコンソール部分２０の、そのためヘッドライト収容部３の正確な位置決めを実現することができる。コンソール部分２０も、ヘッドライト収容部３と、具体的には、その取付板９とリベットで接合されている。二つのコンソール部分２０と２１は、接続領域において、括れた部分２２として形成された弱体部を有する。従って、そのような括れた部分２２によって、衝突時に、二つのコンソール部分の間の角度が鋭角になるという意味において、二つのコンソール部分２０と２１の角度状態が変化することができるので、更に別の変形領域が構造グループ１に形成されることとなる。
【００２４】
以上の通り、構造グループの構成要素が、歩行者との衝突時に、独自の変形行程を提供する、即ち、フェンダ４と、シーリングチャネル部材６と、特に、そのフレーム部材１０の領域におけるヘッドライト収容部３と、特に、括れた部分２２の領域におけるコンソール部材７とが変形することができる構造グループ１を提案した。
【符号の説明】
【００２５】
１    構造グループ
２    ヘッドライトガラス
３    ヘッドライト収容部
４    フェンダ
５    窪み
６    シーリングチャネル部材
７    コンソール部材
８    支持構造
９    取付板
１０    フレーム部材
１１    シーリングチャネル部材６の辺部
１２    フェンダ４の辺部
１３    シーリングチャネル部材６の辺部
１４    フレーム部材１０の辺部
１５    湾曲部
１６    テストピース
１７    リベット接合点
１８    辺部１１の自由端
１９    切欠き部
２０    コンソール部分
２１    コンソール部分
２２    括れた部分
【図１】
0004848445.tif 000002
【図２】
0004848445.tif 000003
【図３】
0004848445.tif 000004
【図４】
0004848445.tif 000005
【図５】
0004848445.tif 000006
【図６】
0004848445.tif 000007